(57)【要約】【課題】メダルセレクタの基本構造を変更することなく、最小限の部品を変更するだけで、メダル投入姿勢の横向き、縦向きの双方に対応できるようにして、遊技機筐体のデザイン変更に伴なうメダルセレクタの設計変更を不要とする。【解決手段】メダル通路２４中のメダル１２を、メダル通路外に排出するためのキャンセルプレート４４と、該キャンセルプレートに取付けられる、傾斜面６０ａを有するキャンセルレバー６０と、メダルキャンセル時に前記傾斜面と係合するキャンセル方向に操作することにより、前記キャンセルプレートを作動するキャンセル軸４２とを備え、前記キャンセルレバーにより、前記キャンセル軸のキャンセル方向を変更可能とする。【選択図】図７
2006026104.tif 000002
【特許請求の範囲】
【請求項１】
メダルセレクタにより選別されたメダル通路中のメダルを、メダル通路外に排出するためのメダルキャンセル装置において、
メダル通路中のメダルを、メダル通路外に排出するためのキャンセルプレートと、
該キャンセルプレートに取付けられる、傾斜面を有する部材と、
メダルキャンセル時に前記傾斜面と係合するキャンセル方向に操作することにより、前記キャンセルプレートを作動するキャンセル軸とを備え、
前記傾斜面を有する部材により、前記キャンセル軸のキャンセル方向が変更可能とされていることを特徴とするメダルキャンセル装置。
【請求項２】
前記傾斜面を有する部材のキャンセルプレートへの取付角度を変えることで、キャンセル方向の角度が変更可能であることを特徴とする請求項１に記載のメダルキャンセル装置。
【請求項３】
前記傾斜面及びキャンセル軸の先端が共に曲面とされていることを特徴とする請求項１に記載のメダルキャンセル装置。
【発明の詳細な説明】
【技術分野】
【０００１】
本発明は、メダルキャンセル装置に関する。詳しくは、雀球やパチンコスロット等の遊技機に用いるのに好適な、メダルセレクタにより選別されたメダル通路中の不良メダル又は法定枚数以上のメダルを、メダル通路外に排出するためのメダルキャンセル装置に関する。
【背景技術】
【０００２】
雀球やパチンコスロット等の遊技機には、図１に示す如く、メダル投入口２２から遊技機筐体２０内に投入されたメダル１２のうち、厚みや重さや外周のギザギザの有無等に基づいて不良メダルを選別したり、投入枚数を計数して法定枚数に達したことを検知するためのメダルセレクタ３０が備えられている（特許文献１参照）。
【０００３】
そして、図２に示す如く、該メダルセレクタ３０により選別され、受入を拒否された、メダル通路２４中のメダル１２を、メダル通路外の排出通路２６に排出するためのメダルキャンセル装置が設けられている（特許文献２参照）。
【０００４】
一方、遊技機にメダルを投入する方向には、図１に示した如く、遊技機筐体２０の正面（図では手前）に位置する遊技者の視線とメダル１２の厚み方向（図では左右方向）が直交（換言すると、遊技機筐体２０の表面ガラスとメダル１２が直交）するもの（縦向きと称する）と、遊技者の視線とメダル１２の厚み方向が平行（換言すると、遊技機筐体２０の表面ガラスとメダル１２が平行）なもの（横向きと称する）がある。
【０００５】
【特許文献１】特開平１０−１７２０２０号公報
【特許文献２】特開２００２−３３６４１６号公報
【発明の開示】
【発明が解決しようとする課題】
【０００６】
しかしながら従来、遊技者がメダルキャンセル装置を作動させるために操作するキャンセル軸の移動方向（以下、キャンセル方向と称する）は、各々の構造で最もキャンセルし易い（荷重が小さい）方向に限定されており、メダル１２の投入姿勢の違いによって、キャンセル方向を９０°傾けることは、デザイン上や操作性の制約上、不可能であった。従って、メダル投入姿勢によって、メダルセレクタ３０も、縦向き用と横向き用のいずれかを選択しなければならず、遊技機筐体２０のデザイン変更に伴なって、メダルセレクタ３０も変更しなければならないという問題を有していた。
【０００７】
本発明は、前記従来の問題点を解決するべくなされたもので、メダルセレクタの基本構造を変更することなく、最小限の部品を変更するだけで、メダル投入姿勢の縦向き、横向きの双方に対応することができ、遊技機筐体のデザイン変更に伴なうメダルセレクタの設計変更を不要とすることを課題とする。
【課題を解決するための手段】
【０００８】
本発明は、メダルセレクタにより選別されたメダル通路中のメダルを、メダル通路外に排出するためのメダルキャンセル装置において、メダル通路中のメダルを、メダル通路外に排出するためのキャンセルプレートと、該キャンセルプレートに取り付けられる、傾斜面を有する部材と、メダルキャンセル時に前記傾斜面と係合するキャンセル方向に操作することにより、前記キャンセルプレートを作動するキャンセル軸とを備え、前記傾斜面を有する部材により、前記キャンセル軸のキャンセル方向を変更可能として、前記課題を解決したものである。
【発明の効果】
【０００９】
本発明によれば、メダルセレクタの基本構造を変更することなく、最小限の部品を変更するだけで、メダル投入姿勢の縦向き、横向きの双方に対応することができる。従って、遊技機筐体のデザイン変更に伴なうメダルセレクタの設計変更が不要になる。
【発明を実施するための最良の形態】
【００１０】
以下図面を参照して、本発明の実施形態を詳細に説明する。
【００１１】
図２に、本発明に係るメダルセレクタ３０の実施形態を示す。このメダルセレクタ３０のベース（セレクタベースと称する）３２は、図２中に示されない遊技機筐体に固定されている。該セレクタベース３２にねじ止めされたメダルレール３４とメダルシュート３６により、図３に示すメダル通路２４が形成されている。該メダルシュート３６の一部には、図３に示す如く、キャンセルメダル排出通路２６の入口となる、メダル排出用の切り欠き３６ａが設けられている。
【００１２】
前記セレクタベース３２の上部には、メダル通路２４中のメダル１２を側面から押して排出するための、本発明に係るメダルキャンセル装置４０のキャンセルプレート４４の上部を回動自在に支持するキャンセルプレート支点軸４５が配設されている。該キャンセルプレート４４は、その上方に位置する前記支点軸４５を中心に、ばね４６で付勢されつつ、揺動自在に支持されており、図４に示す如く、キャンセル軸４２により押され、ばね４６に抗してメダル通路２４中に下端４４ａが進入した時に、その中のメダル１２を側面から押して、メダルシュート３６の切り欠き３６ａから排出通路２６に排出する。
【００１３】
前記セレクタベース３２には、更に、メダル通路２４中のメダル１２の姿勢を安定させるためのプッシャー３７を回動自在に支持するプッシャー支点軸３８が配設されている。該プッシャー３７は、図４に示す如く、ばね３９で付勢されつつ、その上方に位置する前記プッシャー支点軸３８を中心に回動して、メダル通路２４中のメダル１２の姿勢を安定させる。
【００１４】
前記セレクタベース３２には、更に、メダル通路２４からメダル１２を排除するための排除レバー５０を配置したソレノイドブラケット５５がねじ止めされている。該ソレノイドブラケット５５には、例えばフラッパー式のソレノイド５４が固定されている。
【００１５】
前記排除レバー５０は、メダル受入時はソレノイド５４により吸引され、メダル通路２４を遮らず、逆にメダル非受入時は、弾性体により引かれて、メダル通路２４を遮るようにされている。
【００１６】
前記セレクタベース３２のメダル通過部には、更に、メダル１２の通過枚数を計数するための、例えば光透過型のメダル通過センサ５８が配設されている。
【００１７】
図５に、本発明に係るメダルキャンセル装置４０の第１実施形態を、メダル投入姿勢が横向きの遊技機に取付けた状態を示す。
【００１８】
本実施形態において、遊技者によりキャンセル方向である軸方向（図５（Ａ）の前後方向、図５（Ｂ）の左右方向）に押された時にキャンセルプレート４４の側面を押すためのキャンセル軸４２は、図５中に図示されない遊技機筐体に、その軸方向に摺動自在に支持されている。
【００１９】
キャンセルは、遊技者がキャンセル軸４２をキャンセル方向に押して、図４に示した如く、キャンセルプレート４４が、ばね４６の力に抗して、キャンセルプレート支点軸４５を回転軸として揺動することで行なわれる。
【００２０】
一方、メダル投入姿勢が縦向きの遊技機の場合は、図６に示す如く、前記キャンセルプレート４４のキャンセルレバー取付用タップ４４ｂに、前記キャンセル軸４２の半球状先端４２ａと係合して、キャンセル軸４２の軸方向の動きをキャンセルプレート４４に横から伝えるための、凹面状傾斜面６０ａを有するキャンセルレバー６０を、例えば２個所でねじ６２により取付ける。
【００２１】
これにより、図７に示す如く、遊技者がキャンセル軸４２を軸方向（図７（Ａ）（Ｃ）の左右方向）に押すことで、キャンセルレバー６０が横方向（図７（Ａ）の前後方向、図７（Ｃ）の上下方向）に押され、キャンセルプレート４４が、その支点軸４５を中心として揺動する。
【００２２】
なお、キャンセル軸４２の移動方向は、図７に示した方向に限定されず、図８や図９に示すように、図７と直交する方向としたり、あるいは、図１０に示す第２実施形態の如く、キャンセルレバー６０の取付角度を変更することで、キャンセル方向の角度を任意に設定することもでき、遊技機設計の自由度が高まる。
【００２３】
第２実施形態にキャンセルレバー６０を取付けた状態を図１１に、第２実施形態を遊技機筐体２０に取付けた状態を図１２に示す。図１２において、４７は、キャンセル軸４２を遊技機筐体２０に係止するためのＥリング、４８は、キャンセル軸４２を遊技機筐体２０から突出方向に付勢するためのコイルばねである。
【００２４】
なお、図６と図１０では、同じ形状で取付穴の位置のみ異なるキャンセルレバー６０を用いていたが、キャンセル方向を変えると、キャンセルプレート４４に作用する力の方向も変わるため、曲面形状も異なる部品に交換することが望ましい。
【００２５】
前記実施形態においては、いずれも、キャンセルレバー６０の傾斜面６０ａが凹面状とされ、キャンセル軸４２の先端４２ａが半球状とされていたので、少ない力でキャンセルプレート４４を横から押すことができる。なお、例えばキャンセルレバー６０の傾斜面６０ａを凸面状としたり、平面状として加工を容易とすることも可能である。
【００２６】
又、前記実施形態においては、キャンセルレバー６０とキャンセルプレート４４が別体とされ、コイン投入姿勢が縦向きである場合にキャンセルレバー６０をキャンセルプレート４４に取付けるようにしていたが、両者を初めから一体化しておくことも可能である。この場合には、取付姿勢の違いによる部品の付け外しが不要となる。
【図面の簡単な説明】
【００２７】
【図１】遊技機筐体へのメダルセレクタの取付状態の一例を示す正面図
【図２】本発明に係るメダルセレクタの実施形態を示す図
【図３】前記メダルセレクタにおけるメダルの流れを示す斜視図
【図４】同じくキャンセル構造を示す断面図
【図５】本発明に係るメダルキャンセル装置の第１実施形態をメダル投入姿勢が横向きの遊技機に取付ける状態を示す（Ａ）正面図及び（Ｂ）側面図
【図６】同じく（Ａ）キャンセルレバー取付前と（Ｂ）取付後を示す正面図
【図７】同じくメダル投入姿勢が縦向きの遊技機に取付ける状態を示す（Ａ）正面図、（Ｂ）側面図及び（Ｃ）平面図
【図８】同じく縦向きの遊技機に取付ける状態の他の例を示す正面図
【図９】同じく更に他の例を示す側面図
【図１０】本発明に係るメダルキャンセル装置の第２実施形態をメダル投入姿勢が縦向きの遊技機に取付ける状態を示す（Ａ）正面図及び（Ｂ）側面図
【図１１】同じくキャンセルレバーを取付けた状態を示す正面図
【図１２】第２実施形態を遊技機筐体に取付けた状態の要部を示す正面図
【符号の説明】
【００２８】
１２…メダル
２０…遊技機筐体
２２…メダル投入口
２４…メダル通路
２６…排出通路
３０…メダルセレクタ
３２…セレクタベース
３４…メダルレール
３６…メダルシュート
３８…プッシャー
４０…メダルキャンセル装置
４２…キャンセル軸
４２ａ…半球状先端
４４…キャンセルプレート
４５…支点軸
４６…ばね
５４…ソレノイド
５８…メダル通過センサ
６０…キャンセルレバー
６０ａ…傾斜面
【図１】
2006026104.tif 000003
【図２】
2006026104.tif 000004
【図３】
2006026104.tif 000005
【図４】
2006026104.tif 000006
【図５】
2006026104.tif 000007
【図６】
2006026104.tif 000008
【図７】
2006026104.tif 000009
【図８】
2006026104.tif 000010
【図９】
2006026104.tif 000011
【図１０】
2006026104.tif 000012
【図１１】
2006026104.tif 000013
【図１２】
2006026104.tif 000014